(57)【特許請求の範囲】
【請求項１】
上部が開口している容器（１）、及び容器（１）の上部に底部が支持される筒体（２）を含み、容器（１）が、筒体（２）を容器（１）に対して適切な場所に固定するためのフック（５）を有し、容器（１）が、内側の壁（２０）及び外側の壁（１９）を有すると共に周縁部の少なくとも一部にわたって上部が開口している溝（３）を有し、筒体（２）の底部が溝（３）に収容され、フック（５）の一端が筒体（２）の切抜き穴（６）に収容され、内側の壁（２０）が筒体（２）の分離を防ぐ働きをする、茎の長い切花の包装容器であって、
前記フック（５）が溝（３）の外側の壁（１９）と一体に形成されると共に、フック（５）の下方の外側の壁（１９）に切り欠き（７）が設けられている、ことを特徴とする包装容器。
【請求項２】
容器（１）と筒体（２）が正方形又は長方形の断面を有し、２つの対向する溝部分それぞれに少なくとも１つのフック（５）を有することを特徴とする、請求項１に記載の包装容器。
【発明の詳細な説明】
【技術分野】
【０００１】
本発明は茎の長い切花の包装容器に関し、上部が開口している容器、及び該容器の上部に底部が支持される筒体を含み、容器及び筒体は、筒体を容器に対して適切な場所に固定するためのフック手段を有する。
【背景技術】
【０００２】
この種の包装容器は欧州特許出願公開第３１１１７４号に公開されている。かかる公知の包装容器は、周囲全体に及ぶ隆起を有する容器を備え、筒体は隆起上に支持される。安定性を得るため、筒体は２つの長穴を有して容器のリップがそれぞれに１つずつ挿入される。
【０００３】
かかる公知の包装容器の不利な点は、筒体をリップに嵌めるのが非常に難しく、リップと長穴という形状で互いに結合されるにもかかわらず、容器から筒体が分離し易いことである。茎の長い大量の切花などの内容物を筒体に押し付けた場合に、筒体の壁は長穴のリップから押しやられ、安定性が失われる。その結果花と共に容器全体が倒れてしまう可能性がある。この問題は、さらに包装容器が陳列目的で使用される場合に深刻となる。かかる場合に内容物は順を追って容器から取り出される。その場合、容器に残っている切花が片側に向けた非対称荷重を筒体に対して与える可能性があり、その結果上述したように分離してしまう可能性がある。これらの理由からリップは実際には用いられていない。
【特許文献１】欧州特許出願公開第３１１１７４号
【発明の開示】
【発明が解決しようとする課題】
【０００４】
本発明の目的はこれら不利な点を有さない、上述した様式の包装容器を提供することにある。当該目的は、容器の上部に、フック手段を固定するための固定手段を備えることにより達成される。
【課題を解決するための手段】
【０００５】
詳細には、容器は、周縁部の少なくとも一部にわたって上部が開口した溝（channel）を有し、筒体の底部が溝に収容され、フック手段が筒体の切抜き穴及びフックを備え、フックの一端が筒体の切抜き穴に収容されて、もう一端が容器と係合している。
【０００６】
本発明による包装容器を用いれば、筒体の底部が溝全体にわたってその中に伸長しているので、筒体が一方に押しやられることなく安定する。したがって、たとえ包装容器の容器が斜めになったとしても筒体が外れるという心配がない。
【０００７】
フックは、弾性的に可動となるように溝の外側の壁と一体に形成される。こうすれば、筒体は溝のもう一方の壁の力を借りて固定されるので分離する恐れがない。その結果、例えば厚紙などの比較的弱い材料で作られた筒体にフックがダメージを与えることを防止することが可能である。
【０００８】
好ましくは、容器及び筒体は正方形又は長方形の断面を有し、２つの対向する溝部分それぞれに少なくとも１つのフックを有する。
また、固定手段はフック及びフックに対向して位置する固定リップを含む。
【０００９】
本発明の一部を構成しない実施形態の一つによると、容器及び筒体は、共通のフックが嵌合する切抜き穴をそれぞれ有する。好ましくは、フックは弾性プラスティックから成る。容器の２つの対向する側面のそれぞれに１つの取っ手開口部を有する場合には、フックをかかる取っ手開口部に嵌合してよい。
【００１０】
さらに、固定手段は、上部が開口して容器の周縁部の少なくとも一部にわたって延設された溝を含み、筒体の底部がかかる溝に収容される。かかる構成において、フック手段は、筒体の切抜き穴と、一端が筒体の切抜き穴の中に収容され、他端が容器と係合するフックとを備える。
【００１１】
オランダ特許出願第１０１２１６４Ｃ号に開示されている包装容器を参照する。かかる公知の包装容器では、容器の上部が開口しており筒体はこの中に収容される。しかし、かかる筒体は容器に固定されていない。しかし、花は区切られた内部に吊るされることにより花自体が固定されている。したがって、かかる筒体では花が筒体に斜めにもたれかかるリスクは明らかに少ない。
次に、本発明を図に示される少数の実施形態を参照してさらに詳細に説明する。
【発明を実施するための最良の形態】
【００１２】
図１に示される本発明の包装容器は、全体を１で表わされる容器１及び容器１の上に載せられる筒体２を具備する。図２の断面図に示されるように、容器は周囲全体におよぶ溝３をその上部に有し、溝３の中に筒体２が収容される。
【００１３】
筒体２が容器１から意図せず脱離するのを防ぐため、全体が４で示されるフック手段を設ける。かかるフック手段は対向する溝部分にも設けられる。これらフック手段は、溝３の外側の壁１９と一体に形成されるフック５及び筒体の切抜き穴６を具備する。溝３の壁１９には、フック５の下方に切り欠き７が設けられ、フック５は弾性的に外側に容易に移動し、その後跳ね戻る。
【００１４】
フック手段４は筒体２を取り付ける際に使用する。筒体２を溝３に押し込む。この動作の間に筒体は溝３の内壁２０に沿って滑り、フック５は押しやられてから切抜き穴６の中に跳ね戻る。このようにして筒体２が容器１から意図せず分離するのを実際に防ぐ。内壁２０は、筒体の分離を防ぐ固定手段としての働きをする。
【００１５】
本発明の一部を構成しない図３の変形例では、筒体２は同様に、上部が開口した容器１の溝３の中に取り付けられる。容器１は取っ手８を有し、フック９を固定するために使用される。
【００１６】
筒体２には孔１０が設けられる。フック９は下側保持片１１及び２つの上部フック１２を有する。保持片１１は取っ手８の上部境界に噛み合わされ、一方、フック１２は孔１０に引っかけられる。このようにして、筒体２が容器１から意図せず分離するのを防止する。
【００１７】
筒体２は、選択的な破断線１５に沿って互いに接合される２つの部分１３、１４から成る。筒体の上部部分１４を選択的な破断線１５に沿って分裂することによって、包装容器の内容物がより見えやすくなる。
【００１８】
さらに、図２のフックの変形例、すなわちフック５’’及び５’’’が、図５及び６に示されている。
【００１９】
本発明の一部を構成しない図４に示される変形例はメタルで作られたフック５’に関し、フック５’はリベット１６を用いて溝３の外側の壁１９に固定される。本発明の一部を構成しない図５に示される変形例はフック５’’を有し、シャンク１７を介して溝３の底部に柔軟に結合される。シャンク１７は溝３の外側の壁１９の残りの部分とは分離している。
【００２０】
本発明の一部を構成しない図６に示される変形例には、溝３の外側の壁１９に位置するフレキシブルシャンク１８を有するフック５’’’が図示されている。
【図面の簡単な説明】
【００２１】
【図１】本発明の包装容器の部分斜視図である。
【図２】図１の線ＩＩ−ＩＩに沿った断面図である。
【図３】本発明の一部を構成しない実施形態を示す図である。
【図４】本発明の一部を構成しない実施形態を示す図である。
【図５】本発明の一部を構成しない実施形態を示す図である。
【図６】本発明の一部を構成しない実施形態を示す図である。
【図１】
0005097549.tif 000002
【図２】
0005097549.tif 000003
【図３】
0005097549.tif 000004
【図４】
0005097549.tif 000005
【図５】
0005097549.tif 000006
【図６】
0005097549.tif 000007